(57)【要約】【課題】棚板の前端部を前框に外観よく取り付けることができる壁面収納庫の棚板の取り付け構造を提供する。【解決手段】壁面収納庫１内に水平に棚板７を架設し、壁面収納庫１の奥の後壁３の後受け桟４上に棚板７の後端を載設すると共に壁面収納庫１の奥と反対の前側に架設した前框５の上部の後部側の段部８に棚板７の前端を載設した壁面収納庫の棚板の取り付け構造である。これにおいて、段部８の水平面８ａから上方に圧入係合部１０を突設すると共に棚板７の前端部の下面から上方に穿設した係合溝１１に上記圧入係合部１０を圧入係合する。【選択図】　　　　図１
2004108103.tif 000002
【特許請求の範囲】
【請求項１】
壁面収納庫内に水平に棚板を架設し、壁面収納庫の奥の後壁の後受け桟の上に棚板の後端を載設すると共に壁面収納庫の奥と反対の前側に架設した前框の上部の後部側の段部に棚板の前端を載設した壁面収納庫の棚板の取り付け構造において、段部の水平面から上方に圧入係合部を突設すると共に棚板の前端部の下面から上方に穿設した係合溝に上記圧入係合部を圧入係合して成ることを特徴とする壁面収納庫の棚板の取り付け構造。
【請求項２】
段部の水平面から下方に穿設した固定溝に接合部材の下部を圧入して固定することにより接合部材の上部を圧入係合部として上方に突設したことを特徴とする請求項１記載の壁面収納庫の棚板の取り付け構造。
【請求項３】
棚板の少なくとも上面、前框の少なくとも上面、前面及び下面に化粧シートを被着して成ることを特徴とする請求項１または請求項２記載の壁面収納庫の棚板の取り付け構造。
【発明の詳細な説明】
【０００１】
【発明の属する技術分野】
本発明は、押し入れのように建物に造り付けた壁面収納庫で内部を仕切る棚板を取り付ける構造に関するものである。
【０００２】
【従来の技術】
従来、押し入れのような壁面収納庫１で中棚２を設けて内部を仕切る場合、図１０に示すように壁面収納庫１内の奥の後壁３に沿って水平に後受け桟４を取着し、壁面収納庫の奥と反対側の前側に前框５を架設し、前框５と後受け桟４との間に根太材６を架設し、根太材６の上に棚板７を載せて棚板７の後端を後受け桟４の上に載置すると共に前框５の上部の後部を切り欠いた段部８に棚板７の前端を載置し、棚板７を釘打ちで固定していた（これは古くから大工工事で行われているもので、例えば非特許文献１参照）。
【０００３】
【非特許文献１】
尾上孝一著「図解木造建築入門」株式会社井上書院出版、１９７９年
７月１１日発行、Ｐ８２〜８３
【０００４】
【発明が解決しようとする課題】
ところで、上記従来例では棚板７の前端を前框５の段部８に嵌めることにより前框５の上面と棚板７の上面を面一にし、棚板７の前端部の上面から段部８を介して前框５に釘を打入することで棚板７の前端部を前框５に固着するが、このように釘を打入することで固定すると棚板７の前端部の上面に釘頭が露出して外観が悪くなるという問題がある。殊に、棚板７の上面や前框５の表面に化粧シートを貼って化粧したものの場合、外観上違和感が生じて外観が悪くなるという問題がある。
【０００５】
本発明は上記の点に鑑みてなされたものであり、棚板の前端部を前框に外観よく取り付けることができる壁面収納庫の棚板の取り付け構造を提供することを課題とするものである。
【０００６】
【課題を解決するための手段】
上記課題を解決するための本発明の壁面収納庫の棚板の取り付け構造は、壁面収納庫１内に水平に棚板７を架設し、壁面収納庫１の奥の後壁３の後受け桟４上に棚板７の後端を載設すると共に壁面収納庫１の奥と反対の前側に架設した前框５の上部の後部側の段部８に棚板７の前端を載設した壁面収納庫の棚板の取り付け構造において、段部８の水平面８ａから上方に圧入係合部１０を突設すると共に棚板７の前端部の下面から上方に穿設した係合溝１１に上記圧入係合部１０を圧入係合して成ることを特徴とする。圧入係合部１０を棚板７の係合溝１１に圧入することで固定できて従来のように釘頭が露出しないように固定できて棚板７の前端部を前框５に外観よく取り付けることができる。
【０００７】
また段部８の水平面８ａから下方に穿設した固定溝１２に接合部材１３の下部を圧入して固定することにより接合部材１３の上部を圧入係合部１０として上方に突設したことを特徴とすることも好ましい。この場合、接合部材１３を固定溝１２に圧入して固定するだけで棚板７の係合溝１１を係合するための圧入係合部１０を形成できて外観よく棚板７が取り付けられるものでも容易に組み立てることができる。
【０００８】
また棚板７の少なくとも上面、前框５の少なくとも上面、前面及び下面に化粧シート１４を被着して成ることを特徴とすることも好ましい。この場合、外観上見える部分を化粧シート１４で被覆して外観よくでき、外観上固定する部分が見えないように棚板７の前端部を固定できることと相俟って一層外観よく棚板７を取り付けることができる。
【０００９】
【発明の実施の形態】
押し入れのような壁面収納庫１に棚板７を取り付けて中棚２や枕棚１５を施工する場合、図１のように施工される。壁面収納庫１の奥の後壁３には壁面収納庫の左右の幅方向に亙るように後受け桟４を取り付けてあり、この後受け桟４の前方にはこの後受け桟４と平行になるように前框５を配置してあり、前框５を壁面収納庫１の両側の側壁１６間に架設してある。前框５はベニア合板等で形成された角材であって、図２に示すように上面の後部側に断面略Ｌ字状の段部８を全長に亙って凹設してある。この前框５の上面から段部８の水平面８ａまでの深さは棚板７の厚さと同じである。段部８の水平面８ａには固定溝１２を前框５の長手方向に亙って穿設してある。この前框５の表面には段部８の垂直面８ｂの上部から前框５の上面、前框５の前面、前框５の下面、前框５の後面の下部に到るまで化粧シート１４を貼着してある。
【００１０】
接合部材１３は図３に示すように細長い板状にＡＢＳ樹脂のような合成樹脂にて形成されており、上下両端に先端が尖った尖状部１７を長手方向全長に亙って設けてあり、接合部材１３の上下の両側に鋸刃状突起１８を長手方向に亙って突設してある。この接合部材１３は段部８に配置されており、接合部材１３の下部が固定溝１２に全長に亙って圧入して固定されており、段部８の水平面８ａから接合部材１３の上部が長手方向全長に亙って突出し、この上方に突出する部分が圧入係合部１０となっている。
【００１１】
棚板７はパーチクルボードのような合板にて矩形板状に形成されており、棚板７の前端部の下面側には上方に向けて係合溝１１を長手方向全長に亙って穿設してある。本発明の棚板７は従来のように根太材６で支持しないため厚さは従来より厚い。棚板７の上面及び前端面の上部には化粧シート１４を貼着してある。棚板７を取り付けるとき棚板７の後端部は後受け桟４に載置されると共に棚板７の前端部を段部８に嵌めるように棚板７の前端部が載置される。棚板７の後端部はこの後端部の上面から釘を打入することで固定され、棚板７の前端部はこの前端部を段部８に嵌めることで接合部材１３の圧入係合部１０を棚板７の係合溝１１に圧入係合させて固定される。このように棚板７の前端部を前框５に取り付けるとき圧入係合部１０を係合溝１１に圧入係合させて取り付けるために従来の釘で固定するもののように釘頭が露出したりすることなく、外観よく取り付けることができる。
【００１２】
次に和室用の壁面収納庫１の中棚２や枕棚１５や床部２１を施工する具体的な一例を図４乃至図６により説明する。図４に示すように下地を組み立てるが、枕棚１５を設ける高さ位置では後壁３に沿って左右方向に亙って後受け桟４を取り付け、両側の側壁１６には前後方向に亙って側受け桟２２を取り付け、この側受け桟２２の上に載せるように枕棚１５の奥行きと同じ長さの側受け桟２３を後受け桟４と同じレベルで取り付ける。この側受け桟２３の前端間には左右方向に亙るように枕棚１５用の前框５を架設する。中棚２を設ける高さ位置では後壁３に沿って左右方向に亙って後受け桟４を取り付け、両側の側壁１６には前後方向に亙って側受け桟２３を後受け棧４と同じレベルで取り付ける。この側受け桟２３の前端間には左右方向に亙るように中棚２用の前框５を架設する。床面には根太材２５にて根太組を組み立てると共に前端に左右方向に亙って床框２０を架設する。
【００１３】
図４に示すように下地を組み立てた後、図５に示すように枕棚１５を形成する部分では枕棚１５の大きさの棚板７を棚板７の周縁が後受け桟４や側受け桟２３や前框５に載るように架設し、棚板７の後端部及び側端部の上面から後受け桟４や側受け桟２３に釘２６を打入して固定する。この時、前框５及び後受け桟４や側受け桟２３の上面に予め酢酸ビニル系の接着剤を塗布することにより釘２６との併用固定を行う。前框５の部分では棚板７の前端を前框５の段部８に嵌合し、棚板７の係合溝１１に圧入係合部１０を圧入係合して取り付ける。このとき酢酸ビニル系の接着剤を併用して取り付ける。中棚２を形成する部分では中棚２の大きさの棚板７を棚板７の周縁が後受け桟４や側受け桟２３や前框５に載るように架設し、棚板７の後端部及び側端部の上面から後受け桟４や側受け桟２３に釘２６を打入して固定する。この時、前框５及び後受け桟４や側受け桟２３の上面に予め酢酸ビニル系の接着剤を塗布することにより釘２６との併用固定を行う。前框５の部分では棚板７の前端を前框５の段部８に嵌合し、棚板７の係合溝１１に圧入係合部１０を圧入係合して取り付ける。このとき酢酸ビニル系の接着剤を併用して取り付ける。床部２１ではこの床部２１の大きさに対応する床板２７を根太材２５や床框２０の上に載置し、床板２７の後端部、両側の側端部、前端部及びその他の要所から床框２０や根太材２５に釘２６を打入して床板２７を固定する。このとき、後述する雑巾摺２８で釘頭を隠すことができない部分では隠し釘を使って固定する。
【００１４】
図５に示すように棚板７や床板２７を取り付けて枕棚１５や中棚２や床部２１を組み立てた後、図６に示すように雑巾摺２８や隅木２９を取り付けて仕上げる。
【００１５】
次に洋室用の壁面収納庫１の枕棚１５を施工する具体的な一例を図７乃至図９により説明する。図７に示すように枕棚１５を設ける高さ位置では後壁３に沿って左右方向に亙って後受け桟４を取り付け、両側の側壁１６には前後方向に亙って側受け桟２２を取り付け、この側受け桟２２の上に載せるように枕棚１５の奥行きと同じ長さの側受け桟２３を後受け桟４と同じレベルで取り付ける。この側受け桟２３の前端間には左右方向に亙るように枕棚１５用の前框５を架設する。
【００１６】
図７に示すように枕棚１５の下地を組み立てた後、図８に示すように枕棚１５の大きさの棚板７を棚板７の周縁が後受け桟４や側受け桟２３や前框５に載るように架設し、棚板７の後端部及び側端部の上面から後受け桟４や側受け桟２３に釘２６を打入して固定する。この時、前框５及び後受け桟４や側受け桟２３の上面に予め酢酸ビニル系の接着剤を塗布することにより釘２６との併用固定を行う。
前框５の部分では棚板７の前端を前框５の段部８に嵌合し、棚板７の係合溝１１に圧入係合部１０を圧入係合して取り付ける。このとき酢酸ビニル系の接着剤を併用して取り付ける。図８に示すように棚板７を取り付けて枕棚１５を組み立てた後、図９に示すように雑巾摺２８を取り付けて仕上げる。
【００１７】
【発明の効果】
本発明の請求項１の発明は、叙述の如く前框の段部の水平面から上方に圧入係合部を突設すると共に棚板の前端部の下面から上方に穿設した係合溝に上記圧入係合部を圧入係合して棚部の前端を前框の段部に嵌合しているので、圧入係合部を棚板の係合溝に圧入することで固定できて従来のように釘頭が露出しないように固定でき、棚板の前端部を前框に外観よく取り付けることができるものである。
【００１８】
また本発明の請求項２の発明は、請求項１において、段部の水平面から下方に穿設した固定溝に接合部材の下部を圧入して固定することにより接合部材の上部を圧入係合部として上方に突設したので、接合部材を固定溝に圧入して固定するだけで棚板の係合溝を係合するための圧入係合部を形成できて外観よく棚板が取り付けられるものでも容易に組み立てることができるものである。
【００１９】
また本発明の請求項３の発明は、請求項１または請求項２において、棚板の少なくとも上面、前框の少なくとも上面、前面及び下面に化粧シートを被着したので、外観上見える部分を化粧シートで被覆して外観よくでき、外観上固定する部分が見えないように棚板の前端部を固定できることと相俟って一層外観よく棚板を取り付けることができるものである。
【図面の簡単な説明】
【図１】（ａ）は壁面収納庫に棚板を取り付けて中棚や枕棚を形成した状態を示す一部切欠断面図、（ｂ）は（ａ）の要部を拡大せる断面図である。
【図２】同上の前框を示し、（ａ）は一部切欠正面図、（ｂ）は側面図である。
【図３】同上の接合部材を示し、（ａ）は一部切欠正面図、（ｂ）は側面図である。
【図４】同上の和室用の壁面収納庫の下地を施工した状態の斜視図である。
【図５】同上の和室用の壁面収納庫の棚板や床板を取り付ける状態を説明する斜視図である。
【図６】（ａ）は同上の和室用の壁面収納庫の雑巾摺や隅木を取り付けた状態を示す斜視図、（ｂ）は（ａ）のＸ部拡大斜視図である。
【図７】同上の洋室用の壁面収納庫の下地を施工した状態の斜視図である。
【図８】同上の洋室用の壁面収納庫の棚板を取り付ける状態を説明する斜視図である。
【図９】同上の洋室用の壁面収納庫に雑巾摺を取り付けた状態を示す斜視図である。
【図１０】従来例を説明する一部切欠断面図である。
【符号の説明】
１　壁面収納庫
３　後壁
４　後受け桟
５　前框
７　棚板
８　段部
８ａ　水平面
１０　圧入係合部
１１　係合溝
１２　固定溝
１３　接合部材
１４　化粧シート
【図１】
2004108103.tif 000003
【図２】
2004108103.tif 000004
【図３】
2004108103.tif 000005
【図４】
2004108103.tif 000006
【図５】
2004108103.tif 000007
【図６】
2004108103.tif 000008
【図７】
2004108103.tif 000009
【図８】
2004108103.tif 000010
【図９】
2004108103.tif 000011
【図１０】
2004108103.tif 000012